(57)【特許請求の範囲】
【請求項１】
無線通信を行う第１の通信装置と、
通信サービスを提供する第１の無線通信システムの第２の通信装置と
を備える通信システムであって、
前記第１の通信装置は、
前記第１の無線通信システムとは異なる通信サービスを提供する第２の無線通信システムの第３の通信装置と第１の無線通信方式による無線通信を行う第１の無線通信手段と、
前記第２の通信装置と第２の無線通信方式による無線通信を行う第２の無線通信手段と、
前記第１の無線通信手段および前記第２の無線通信手段を制御して、いずれか一方を選択的に動作させ、他方への電力供給を停止させる第１の制御手段と
を備え、
前記第２の通信装置は、
前記第１の通信装置と前記第２の無線通信方式による無線通信を行う第３の無線通信手段と、
通信可能範囲が重複する前記第３の通信装置と第１の無線通信方式による無線通信を行う第４の無線通信手段と、
前記第３の無線通信手段および前記第４の無線通信手段を制御する第２の制御手段と
を備え、
前記第１の制御手段は、前記通信可能範囲内において、前記第１の無線通信手段への電力供給を停止させ、前記第２の無線通信手段を動作させて前記第２の通信装置と前記第２の無線通信方式による無線通信を行い、前記第２の通信装置を介して前記第１の無線通信システムの第４の通信装置との通信を行っているときに、前記第２の通信装置より、前記第２の無線通信方式による無線通信によって前記第４の通信装置との通信の情報とともに供給された前記第２の無線通信システムの第５の通信装置からの呼び出し要求を、前記第２の無線通信手段により取得し、前記呼び出し要求に対する応答処理を行い、
前記第２の制御手段は、前記第３の無線通信手段を用いて前記第１の通信装置と前記第４の通信装置との通信の中継を行いながら、前記第４の無線通信手段を制御し、前記第３の通信装置により前記第１の通信装置に対して前記通信可能範囲に出力された、前記第５の通信装置からの呼び出し要求を、予め取得した前記第１の通信装置に関する情報を用いて取得し、前記第３の無線通信手段を制御し、前記呼び出し要求を、前記第４の通信装置との通信の情報とともに前記第１の通信装置に供給する
ことを特徴とする通信システム。
【請求項２】
無線通信を行う通信装置であって、
通信サービスを提供する第１の無線通信システムの通信装置である第１の他の通信装置と第１の無線通信方式による無線通信を行う第１の無線通信手段と、
前記第１の無線通信システムとは異なる通信サービスを提供する第２の無線通信システムの通信装置である第２の他の通信装置と第２の無線通信方式による無線通信を行う第２の無線通信手段と、
前記第１の無線通信手段および前記第２の無線通信手段を制御して、いずれか一方を選択的に動作させ、他方への電力供給を停止させる制御手段と
を備え、
前記制御手段は、前記第１の他の通信装置および前記第２の他の通信装置の通信可能範囲内において、前記第１の無線通信手段への電力供給を停止させ、前記第２の無線通信手段を動作させて前記第２の他の通信装置と前記第２の無線通信方式による無線通信を行い、前記第２の他の通信装置を介して前記第２の無線通信システムの第３の他の通信装置との通信を行っているときに、前記第２の他の通信装置より、前記第２の無線通信方式による無線通信によって前記第３の他の通信装置との通信の情報とともに供給された前記第１の無線通信システムの第４の他の通信装置からの呼び出し要求を、前記第２の無線通信手段により取得し、前記呼び出し要求に対する応答処理を行う
ことを特徴とする通信装置。
【請求項３】
前記制御手段は、前記第２の無線通信手段を制御して、前記呼び出し要求に対する応答を前記第２の他の通信装置に供給し、前記第２の無線通信方式による無線通信によって、前記第３の他の通信装置との通信とともに前記第４の他の通信装置との通信を行う
ことを特徴とする請求項２に記載の通信装置。
【請求項４】
前記制御手段は、前記第２の無線通信手段を制御して、前記第３の他の通信装置との通信の一時停止要求を前記第２の他の通信装置に供給し、前記第２の無線通信手段への電力供給を停止させ、前記第１の無線通信手段を動作させて前記第１の他の通信装置と前記第１の無線通信方式による無線通信を行い、前記第４の他の通信装置との通信を行う
ことを特徴とする請求項２に記載の通信装置。
【請求項５】
前記制御手段は、さらに、前記第４の他の通信装置との通信終了後、前記第１の無線通信手段への電力供給を停止させ、前記第２の無線通信手段を動作させて前記第２の他の通信装置と前記第２の無線通信方式による無線通信を行い、前記第３の他の通信装置との通信を再開させる
ことを特徴とする請求項４に記載の通信装置。
【請求項６】
通信サービスを提供する第１の無線通信システムの通信装置であって、
第１の他の通信装置と第１の無線通信方式による無線通信を行う第１の無線通信手段と、
通信可能範囲が重複する、前記第１の無線通信システムとは異なる通信サービスを提供する第２の無線通信システムの第２の他の通信装置と、第２の無線通信方式による無線通信を行う第２の無線通信手段と、
前記第１の無線通信手段および前記第２の無線通信手段を制御する制御手段と
を備え、
前記制御手段は、前記第１の無線通信手段を用いて、前記第１の他の通信装置と、前記第１の無線通信システムの第３の他の通信装置との通信の中継を行いながら、前記第２の無線通信手段を制御し、前記第２の他の通信装置により前記第１の他の通信装置に対して前記通信可能範囲に出力された、前記第２の通信システムの第４の他の通信装置からの呼び出し要求を、予め取得した前記第１の他の通信装置に関する情報を用いて取得し、前記第１の無線通信手段を制御し、前記呼び出し要求を、前記第３の他の通信装置との通信の情報とともに前記第１の他の通信装置に供給する
ことを特徴とする通信装置。
【請求項７】
前記第１の他の通信装置に対する前記第２の通信システムに関する呼び出し要求に対応する応答情報を記憶する記憶手段をさらに備え、
前記制御手段は、前記第２の無線通信手段を制御し、前記呼び出し要求に対して、前記記憶手段により記憶されている前記応答情報を、前記第２の他の通信装置に供給する
ことを特徴とする請求項６に記載の通信装置。
【請求項８】
前記制御手段は、前記第２の無線通信手段が取得した前記呼び出し要求の、履歴に関する情報を、前記記憶手段にさらに記憶させ、前記第１の無線通信手段を制御し、前記第１の他の通信装置と前記第３の他の通信装置との通信終了後、前記第１の他の通信装置に、前記記憶手段に記憶されている前記履歴に関する情報を供給する
ことを特徴とする請求項７に記載の通信装置。
【請求項９】
前記第１の他の通信装置と前記第３の他の通信装置との通信の内容を含む情報を蓄積する情報蓄積手段をさらに備え、
前記制御手段は、前記第１の他の通信装置との前記第１の無線通信方式による無線通信が一時停止された場合、前記第１の他の通信装置に代わって前記第３の他の通信装置より供給される情報を取得し、前記情報蓄積手段に蓄積させ、前記第１の他の通信装置との前記第１の無線通信方式による無線通信が再開された場合、前記情報蓄積手段に蓄積された前記第３の他の通信装置より供給される情報を前記第１の他の通信装置に供給する
ことを特徴とする請求項６に記載の通信装置。
【請求項１０】
前記制御手段は、前記第３の他の通信装置より供給される情報の取得の終了後、所定の時間が経過しても前記第１の他の通信装置との前記第１の無線通信方式による無線通信が再開されない場合、前記情報蓄積手段に蓄積してある前記第３の他の通信装置より供給される情報を破棄する
ことを特徴とする請求項９に記載の通信装置。
【請求項１１】
通信サービスを提供する第１の無線通信システムの通信装置の通信方法であって、
第１の他の通信装置と、前記第１の無線通信システムの第２の他の通信装置との通信の中継中に、前記通信装置と通信可能範囲が重複する、前記第１の無線通信システムとは異なる通信サービスを提供する第２の無線通信システムの第３の他の通信装置により前記第１の他の通信装置に対して前記通信可能範囲に出力された、前記第２の通信システムの第４の他の通信装置からの呼び出し要求を、予め取得した前記第１の他の通信装置に関する情報を用いて取得する取得ステップと、
前記取得ステップにより取得された前記呼び出し要求を、前記第２の他の通信装置との通信の情報とともに前記第１の他の通信装置に供給する供給ステップと
を含むことを特徴とする通信方法。
【請求項１２】
通信サービスを提供する第１の無線通信システムの通信装置用のプログラムであって、
第１の他の通信装置と、前記第１の無線通信システムの第２の他の通信装置との通信の中継中に、前記通信装置と通信可能範囲が重複する、前記第１の無線通信システムとは異なる通信サービスを提供する第２の無線通信システムの第３の他の通信装置により前記第１の他の通信装置に対して前記通信可能範囲に出力された、前記第２の通信システムの第４の他の通信装置からの呼び出し要求を、予め取得した前記第１の他の通信装置に関する情報を用いて取得する取得ステップと、
前記取得ステップにより取得された前記呼び出し要求を、前記第２の他の通信装置との通信の情報とともに前記第１の他の通信装置に供給する供給ステップと
を含むことを特徴とするコンピュータが読み取り可能なプログラムが記録されている記録媒体。
【請求項１３】
第１の他の通信装置に対して第１の通信サービスを提供する第１の無線通信システムの通信装置を制御するコンピュータが実行可能なプログラムであって、
第１の他の通信装置と、前記第１の無線通信システムの第２の他の通信装置との通信の中継中に、前記通信装置と通信可能範囲が重複する、前記第１の無線通信システムとは異なる通信サービスを提供する第２の無線通信システムの第３の他の通信装置により前記第１の他の通信装置に対して前記通信可能範囲に出力された、前記第２の通信システムの第４の他の通信装置からの呼び出し要求を、予め取得した前記第１の他の通信装置に関する情報を用いて取得する取得ステップと、
前記取得ステップにより取得された前記呼び出し要求を、前記第２の他の通信装置との通信の情報とともに前記第１の他の通信装置に供給する供給ステップと
を含むことを特徴とするプログラム。
【発明の詳細な説明】
【０００１】
【発明の属する技術分野】
本発明は通信システム、並びに、通信装置および方法に関し、特に、効率的にユーザのニーズに合わせた通信を容易に行うことができるようにした通信システム、並びに、通信装置および方法に関する。
【０００２】
【従来の技術】
近年、携帯電話機等を用いた無線通信システムが急速に普及している。無線通信システムは、一般的に、サービスエリアに設けられた基地局と、携帯電話機等に代表される携帯型無線端末装置で構成される。基地局は、サービスエリア内を無線の到達距離に合わせて区切ったセル状のエリア（以下、セルと称する）毎に配置されており、各基地局は、インターネット等に代表されるネットワークに接続され、有線通信が行われている。
【０００３】
例えば、携帯電話機において、ユーザの音声が入力され、その音声データが電磁波を用いた無線通信により基地局に供給される。基地局に供給された音声データは、電話回線網を介した有線通信により、通信相手である他のユーザが有する他の携帯電話機が存在するセルに設置された基地局に供給される。そして、基地局は、その携帯電話機に、取得した音声データを無線通信により供給し、携帯電話機は、取得した音声データを再生する。
【０００４】
以上のように、携帯型無線端末装置間の通信を、セル毎に配置され、ネットワーク等を介して互いに接続された基地局を介して行う無線通信システムが存在する。また、通信相手が基地局とネットワークを介して接続されたサーバや端末装置である場合もある。その他にも、携帯型通信端末装置同士が直接無線通信を行う場合もある。また、通信されるデータも、音声データ、画像データ、映像データ、または、文字データ等のように、様々である。さらに、周波数や出力ワット数等の無線通信方式も様々な方式が存在する。
【０００５】
このように、多様化した無線通信システムにおいて、その普及に伴い、サービスエリアの広地域化、無線通信の広帯域化等が望まれるようになってきた。しかしながら、一般的に、無線通信システムを広帯域化すると、システムの負担が増大する。すなわち、狭帯域な無線通信システムより広帯域な無線通信システムの方が、そのインフラの整備に必要なコストは高くなる。従って、システムのサービスエリアを拡大すると、当然、そのインフラの整備にコストがかかるが、広帯域なシステム程、そのコストは増大する。
【０００６】
このような問題に対して、サービスエリアが広い低速な第１の無線通信システムの無線ゾーン内に、サービスエリアが狭い高速な第２の無線通信システムの無線ゾーンを重複させて設け、第２の無線通信システムの無線ゾーン内においては、携帯型無線通信端末装置は第２の無線通信システムを利用し、第２の無線通信システムの無線ゾーンの外で、かつ、第１の無線通信システムの無線ゾーン内である場合においては、携帯型無線通信端末装置は、第１の無線通信システムを利用するようにした無線通信システムが考えられる。
【０００７】
すなわち、この無線通信システムにおいては、広い範囲において低速な無線通信が行え、特定の狭い範囲においてのみ高速な無線通信が行えるサービス（ホットスポット）を提供することができる。
【０００８】
このような無線通信システムの例として、例えば、特許第3226766号公報において、有線通信網に、狭範囲で高速な無線通信が行える高速無線通信手段と、広範囲で低速な無線通信が行える低速無線通信手段とを接続して無線端末との通信を、これら無線手段を介して利用可能とした無線通信システムにおいて、無線端末装置の各種の情報を有線通信網側に設けた位置情報蓄積装置に蓄積し、呼制御を行う呼制御装置がこれを参照して、利用可能な最適な無線通信手段を選択して利用するように、制御するようにした無線通信システムが開示されている。
【０００９】
これにより、電力消費が大きく、サービスエリアの狭い高速無線通信手段を使用しての通信は、可能な場合にのみ、使用するように呼制御装置で予め判断してから、通信に供するようにすることができ、無線資源と、電力の無用な消費を抑制して効率的な運用が可能となる。
【００１０】
【発明が解決しようとする課題】
しかしながら、以上のような方法において、このような無線通信サービスを提供する場合、その提供者は、高速無線通信手段と、低速無線通信手段との両方を用意し、高速無線通信手段による通信に関する情報と、低速無線通信手段による通信に関する情報とを一箇所で集中管理し、呼び出しの際に、無線端末装置が高速無線通信手段による通信、または低速無線通信手段による通信のどちらの通信を行うことが可能であるかを完全に把握していなければならない。すなわち、高速無線通信手段による通信および低速無線通信手段による通信の両方を管理する位置情報蓄積装置や、呼制御装置等を用意し、大量の情報をリアルタイムに、かつ正確に管理する必要があるため、インフラの整備やその維持に多大なコストが必要となってしまうという課題があった。
【００１１】
また、例えば、高速無線通信手段を使用して高速無線通信中である無線端末装置が、他の端末装置より低速無線通信手段を使用してアクセスされた場合、アクセスされた端末装置は、他の端末装置との通信路を確保することができず、アクセスを拒否するしかなく、ユーザのニーズに合わせてフレキシブルに応対することができないという課題もあった。
【００１２】
なお、これに対して、無線端末装置が、高速無線通信手段と高速無線通信を行う無線機能と、低速無線通信手段と低速無線通信を行う無線機能の両方を同時に使用可能にし、高速無線通信を行いながら、低速無線通信を行うことができるようにすることが考えられるが、この方法の場合、複数の無線機能を同時に動作させるため消費電力量が多くなり、無線端末装置の連続使用可能時間等が減少してしまうという課題があった。
【００１３】
本発明はこのような状況に鑑みてなされたものであり、互いにサービスエリアが重複する複数の無線通信システムにおいて、コストをかけずに、効率的にユーザのニーズに合わせた通信を容易に行うことができるようにするものである。
【００１４】
【課題を解決するための手段】
本発明の通信システムは、無線通信を行う第１の通信装置と、通信サービスを提供する第１の無線通信システムの第２の通信装置とを備える通信システムであって、第１の通信装置は、第１の無線通信システムとは異なる通信サービスを提供する第２の無線通信システムの第３の通信装置と第１の無線通信方式による無線通信を行う第１の無線通信手段と、第２の通信装置と第２の無線通信方式による無線通信を行う第２の無線通信手段と、第１の無線通信手段および第２の無線通信手段を制御して、いずれか一方を選択的に動作させ、他方への電力供給を停止させる第１の制御手段とを備え、第２の通信装置は、第１の通信装置と第２の無線通信方式による無線通信を行う第３の無線通信手段と、通信可能範囲が重複する第３の通信装置と第１の無線通信方式による無線通信を行う第４の無線通信手段と、第３の無線通信手段および第４の無線通信手段を制御する第２の制御手段とを備え、第１の制御手段は、通信可能範囲内において、第１の無線通信手段への電力供給を停止させ、第２の無線通信手段を動作させて第２の通信装置と第２の無線通信方式による無線通信を行い、第２の通信装置を介して第１の無線通信システムの第４の通信装置との通信を行っているときに、第２の通信装置より、第２の無線通信方式による無線通信によって第４の通信装置との通信の情報とともに供給された第２の無線通信システムの第５の通信装置からの呼び出し要求を、第２の無線通信手段により取得し、呼び出し要求に対する応答処理を行い、第２の制御手段は、第３の無線通信手段を用いて第１の通信装置と第４の通信装置との通信の中継を行いながら、第４の無線通信手段を制御し、第３の通信装置により第１の通信装置に対して通信可能範囲に出力された、第５の通信装置からの呼び出し要求を、予め取得した第１の通信装置に関する情報を用いて取得し、第３の無線通信手段を制御し、呼び出し要求を、第４の通信装置との通信の情報とともに第１の通信装置に供給することを特徴とする。
【００１５】
本発明の第１の通信装置は、無線通信を行う通信装置であって、通信サービスを提供する第１の無線通信システムの通信装置である第１の他の通信装置と第１の無線通信方式による無線通信を行う第１の無線通信手段と、第１の無線通信システムとは異なる通信サービスを提供する第２の無線通信システムの通信装置である第２の他の通信装置と第２の無線通信方式による無線通信を行う第２の無線通信手段と、第１の無線通信手段および第２の無線通信手段を制御して、いずれか一方を選択的に動作させ、他方への電力供給を停止させる制御手段とを備え、制御手段は、第１の他の通信装置および第２の他の通信装置の通信可能範囲内において、第１の無線通信手段への電力供給を停止させ、第２の無線通信手段を動作させて第２の他の通信装置と第２の無線通信方式による無線通信を行い、第２の他の通信装置を介して第２の無線通信システムの第３の他の通信装置との通信を行っているときに、第２の他の通信装置より、第２の無線通信方式による無線通信によって第３の他の通信装置との通信の情報とともに供給された第１の無線通信システムの第４の他の通信装置からの呼び出し要求を、第２の無線通信手段により取得し、呼び出し要求に対する応答処理を行うことを特徴とする。
【００１６】
前記制御手段は、第２の無線通信手段を制御して、呼び出し要求に対する応答を第２の他の通信装置に供給し、第２の無線通信方式による無線通信によって、第３の他の通信装置との通信とともに第４の他の通信装置との通信を行うようにすることができる。
【００１７】
前記制御手段は、第２の無線通信手段を制御して、第３の他の通信装置との通信の一時停止要求を第２の他の通信装置に供給し、第２の無線通信手段への電力供給を停止させ、第１の無線通信手段を動作させて第１の他の通信装置と第１の無線通信方式による無線通信を行い、第４の他の通信装置との通信を行うようにすることができる。
【００１８】
前記制御手段は、さらに、第４の他の通信装置との通信終了後、第１の無線通信手段への電力供給を停止させ、第２の無線通信手段を動作させて第２の他の通信装置と第２の無線通信方式による無線通信を行い、第３の他の通信装置との通信を再開させるようにすることができる。
【００１９】
本発明の第２の通信装置は、通信サービスを提供する第１の無線通信システムの通信装置であって、第１の他の通信装置と第１の無線通信方式による無線通信を行う第１の無線通信手段と、通信可能範囲が重複する、第１の無線通信システムとは異なる通信サービスを提供する第２の無線通信システムの第２の他の通信装置と、第２の無線通信方式による無線通信を行う第２の無線通信手段と、第１の無線通信手段および第２の無線通信手段を制御する制御手段とを備え、制御手段は、第１の無線通信手段を用いて、第１の他の通信装置と、第１の無線通信システムの第３の他の通信装置との通信の中継を行いながら、第２の無線通信手段を制御し、第２の他の通信装置により第１の他の通信装置に対して通信可能範囲に出力された、第２の通信システムの第４の他の通信装置からの呼び出し要求を、予め取得した第１の他の通信装置に関する情報を用いて取得し、第１の無線通信手段を制御し、呼び出し要求を、第３の他の通信装置との通信の情報とともに第１の他の通信装置に供給することを特徴とする。
【００２０】
前記第１の他の通信装置に対する第２の通信システムに関する呼び出し要求に対応する応答情報を記憶する記憶手段をさらに備え、制御手段は、第２の無線通信手段を制御し、呼び出し要求に対して、記憶手段により記憶されている応答情報を、第２の他の通信装置に供給するようにすることができる。
【００２１】
前記制御手段は、第２の無線通信手段が取得した呼び出し要求の、履歴に関する情報を、記憶手段にさらに記憶させ、第１の無線通信手段を制御し、第１の他の通信装置と第３の他の通信装置との通信終了後、第１の他の通信装置に、記憶手段に記憶されている履歴に関する情報を供給するようにすることができる。
【００２２】
前記第１の他の通信装置と第３の他の通信装置との通信の内容を含む情報を蓄積する情報蓄積手段をさらに備え、制御手段は、第１の他の通信装置との第１の無線通信方式による無線通信が一時停止された場合、第１の他の通信装置に代わって第３の他の通信装置より供給される情報を取得し、情報蓄積手段に蓄積させ、第１の他の通信装置との第１の無線通信方式による無線通信が再開された場合、情報蓄積手段に蓄積された第３の他の通信装置より供給される情報を第１の他の通信装置に供給するようにすることができる。
【００２３】
前記制御手段は、第３の他の通信装置より供給される情報の取得の終了後、所定の時間が経過しても第１の他の通信装置との第１の無線通信方式による無線通信が再開されない場合、情報蓄積手段に蓄積してある第３の他の通信装置より供給される情報を破棄するようにすることができる。
【００２４】
本発明の通信方法は、通信サービスを提供する第１の無線通信システムの通信装置の通信方法であって、第１の他の通信装置と、第１の無線通信システムの第２の他の通信装置との通信の中継中に、通信装置と通信可能範囲が重複する、第１の無線通信システムとは異なる通信サービスを提供する第２の無線通信システムの第３の他の通信装置により第１の他の通信装置に対して通信可能範囲に出力された、第２の通信システムの第４の他の通信装置からの呼び出し要求を、予め取得した第１の他の通信装置に関する情報を用いて取得する取得ステップと、取得ステップにより取得された呼び出し要求を、第２の他の通信装置との通信の情報とともに第１の他の通信装置に供給する供給ステップとを含むことを特徴とする。
【００２５】
本発明の記録媒体のプログラムは、通信サービスを提供する第１の無線通信システムの通信装置用のプログラムであって、第１の他の通信装置と、第１の無線通信システムの第２の他の通信装置との通信の中継中に、通信装置と通信可能範囲が重複する、第１の無線通信システムとは異なる通信サービスを提供する第２の無線通信システムの第３の他の通信装置により第１の他の通信装置に対して通信可能範囲に出力された、第２の通信システムの第４の他の通信装置からの呼び出し要求を、予め取得した第１の他の通信装置に関する情報を用いて取得する取得ステップと、取得ステップにより取得された呼び出し要求を、第２の他の通信装置との通信の情報とともに第１の他の通信装置に供給する供給ステップとを含むことを特徴とする。
【００２６】
本発明のプログラムは、第１の他の通信装置に対して第１の通信サービスを提供する第１の無線通信システムの通信装置を制御するコンピュータが実行可能なプログラムであって、第１の他の通信装置と、第１の無線通信システムの第２の他の通信装置との通信の中継中に、通信装置と通信可能範囲が重複する、第１の無線通信システムとは異なる通信サービスを提供する第２の無線通信システムの第３の他の通信装置により第１の他の通信装置に対して通信可能範囲に出力された、第２の通信システムの第４の他の通信装置からの呼び出し要求を、予め取得した第１の他の通信装置に関する情報を用いて取得する取得ステップと、取得ステップにより取得された呼び出し要求を、第２の他の通信装置との通信の情報とともに第１の他の通信装置に供給する供給ステップとをコンピュータに実行させる。
【００２７】
本発明の通信システムにおいては、無線通信を行う第１の通信装置と、第１の通信装置に対して第１の通信サービスを提供する第１の無線通信システムの第２の通信装置とが備えられ、第１の通信装置においては、通信可能範囲内において、第１の無線通信手段への電力供給が停止され、第２の無線通信手段が動作させられて第２の通信装置と第２の無線通信方式による無線通信が行われ、第２の通信装置を介して第１の無線通信システムの第４の通信装置との通信が行われているときに、第２の通信装置より、第２の無線通信方式による無線通信によって第４の通信装置との通信の情報とともに供給された第２の無線通信システムの第５の通信装置からの呼び出し要求が、第２の無線通信手段により取得され、呼び出し要求に対する応答処理が行われ、第２の通信装置においては、第３の無線通信手段を用いて第１の通信装置と第４の通信装置との通信の中継が行われながら、第４の無線通信手段が制御され、第３の通信装置により第１の通信装置に対して通信可能範囲に出力された、第５の通信装置からの呼び出し要求が、予め取得した第１の通信装置に関する情報を用いて取得され、第３の無線通信手段が制御され、呼び出し要求が、第４の通信装置との通信の情報とともに第１の通信装置に供給される。
【００２８】
本発明の第１の通信装置においては、第１の他の通信装置および第２の他の通信装置の通信可能範囲内において、第１の無線通信手段への電力供給が停止され、第２の無線通信手段が動作させられて第２の他の通信装置と第２の無線通信方式による無線通信が行われ、第２の他の通信装置を介して第２の無線通信システムの第３の他の通信装置との通信が行われているときに、第２の他の通信装置より、第２の無線通信方式による無線通信によって第３の他の通信装置との通信の情報とともに供給された第１の無線通信システムの第４の他の通信装置からの呼び出し要求が、第２の無線通信手段により取得され、呼び出し要求に対する応答処理が行われる。
【００２９】
本発明の第２の通信装置、通信方法、およびプログラムにおいては、第１の無線通信手段が用いられて、第１の他の通信装置と、第１の無線通信システムの第３の他の通信装置との通信の中継が行われながら、第２の無線通信手段が制御されて、第２の他の通信装置により第１の他の通信装置に対して通信可能範囲に出力された、第２の通信システムの第４の他の通信装置からの呼び出し要求が、予め取得した第１の他の通信装置に関する情報を用いて取得され、第１の無線通信手段が制御されて、呼び出し要求が、第３の他の通信装置との通信の情報とともに第１の他の通信装置に供給される。
【００３０】
【発明の実施の形態】
図１は本発明を適用した無線通信システムの構成例を示す図である。
【００３１】
図１において、携帯電話機１は、無線通信システム２の基地局２１と無線通信を行い、無線通信システム２を利用した無線通信を行うことができる。無線通信システム２は、例えば、携帯電話機等を利用した移動通信サービスを提供するシステムであり、サービスエリアのセル毎に配置された基地局２１、基地局２１が接続された、電話回線網やインターネット等に代表されるネットワーク２２、および、ネットワーク２２に接続され、無線通信システム２を利用した無線通信サービスの加入者等が有する電話機２３により構成されている。携帯電話機１は、基地局２１と無線通信を行い、ネットワーク２２を介して、電話機２３と通信を行うことができる。
【００３２】
また、携帯電話機１は、無線通信システム３の基地局３１と無線通信を行い、無線通信システム３を利用した無線通信を行うことができる。無線通信システム３は、例えば、無線LANや家庭内LAN等の無線通信サービスを提供するシステムであり、サービスエリアのセル毎に配置された基地局３１、基地局３１が接続された、LANやホームネットワーク等に代表されるネットワーク３２、および、ネットワーク３２に接続され、無線通信システム３を利用してデータ配信等を行うことができるサーバ３３により構成されている。携帯電話機１は、基地局３１と無線通信を行い、ネットワーク３２を介して、サーバ３３と通信を行うことができる。
【００３３】
無線通信システム２および無線通信システム３は、互いに無線通信方式等が異なり、通信速度や周波数帯域等も異なる。例えば、無線通信システム２は、800MHzの周波数帯を使用するPDC（Personal Digital Cellular）や900MHzの周波数帯を使用するGSM（Global System for Mobile Communications）等の通信方式を用いたシステムであり、通信速度は、例えば、PDCを用いた場合、9600bps（Bits Per Second）である。そして、そのサービスエリアは、例えば、半径数ｋｍのセルにより構成される。
【００３４】
また、無線通信システム３は、例えば、2.4GHzの周波数帯を使用するIEEE 802.11b（Institute of Electrical and Electronic Engineers 802.11 High-Rate Direct Sequence）等の通信規格を用いたシステムであり、通信速度は、例えば、１１Mbpsである。そして、そのサービスエリアは、例えば、半径数十ｍのセルにより構成される。
【００３５】
このように、無線通信システム３は、無線通信システム２と比較して、広帯域であり、高速な無線通信を行うことができるが、そのサービスエリアの範囲は狭く、サービスエリアを構成するセルも小さい。
【００３６】
図２は、無線通信システム２および無線通信システム３のサービスエリアを構成するセルの様子を示す図である。
【００３７】
図２において、セル４１乃至４３は、無線通信システム２のセルであり、それぞれに、基地局２１と同様の基地局が配置されている。また、セル５１乃至５３は、無線通信システム３のセルであり、それぞれに、基地局３１と同様の基地局が配置されている。さらに、セル６１乃至６６は、無線通信システム３と同様の高速な無線通信を提供する無線通信システムのセルであり、それぞれに、基地局が配置されている。
【００３８】
図２に示すように、無線通信システム３のサービスエリアと無線通信システム３のサービスエリアは重複しており、例えば、セル５１内に位置する携帯電話機１は、同時に、セル４１内にも位置しており、基地局２１がセル４１に配置され、基地局３１がセル５１に配置されている場合、基地局３１を介して高速な無線通信を行うことができるとともに、基地局２１を介して低速な無線通信を行うことも可能である。なお、セル５１乃至５３の外側で、かつ、セル４１内に位置する場合、携帯電話機１は、基地局２１を介した低速な無線通信のみを行うことができる。
【００３９】
以上のように、図１に示す携帯電話機１は、広範囲なエリアにおいて、無線通信システム２を利用した低速な無線通信を行うことができるとともに、特定の狭い範囲において、無線通信システム３を利用した高速な無線通信を行うことができる。なお、携帯電話機１は、無線通信システム２の基地局２１と無線通信を行う無線通信機能と、無線通信システム３の基地局３１と無線通信を行う無線通信機能とを同時に動作させると、電力消費量が増大し、バッテリの持続時間が減少してしまうので、これらを選択的に切り替えて動作させるようにしてある。
【００４０】
また、図１において、基地局３１は、複数の無線通信機能を有しており、携帯電話機１とだけでなく、基地局２１と無線通信を行うことができる。つまり、基地局３１は、携帯電話機１と通信中の場合、無線通信システム２の、携帯電話機１と同じセル内に位置することになるので、携帯電話機１の代わりに、携帯電話機１が位置するセルの基地局２１と通信を行うことができる。
【００４１】
例えば、携帯電話機１が基地局３１を介してサーバ３３よりデータのダウンロードを行う場合、基地局３１は、携帯電話機１の電話番号等の情報を予め取得しておく。そして、そのダウンロード中に、基地局３１が携帯電話機１に電話機２３からの呼び出し要求を供給した場合、基地局３１は、同じセル内にいる携帯電話機１の代わりにその呼び出し要求を取得する。そして、基地局３１は、無線通信システム２の無線通信より無線通信システム３の無線通信の方が広帯域であることを利用して、取得した呼び出し要求を、通信中のデータとともに、携帯電話機１に供給する。
【００４２】
携帯電話機１は、その要求に対して応答する場合、その応答を基地局３１に供給する。基地局３１は、取得した応答を、携帯電話機１の代わりに基地局２１に供給する。以降、同様にして、携帯電話機１は、ダウンロードを行いながら、基地局３１を介して、基地局２１と無線通信を行うことができる。
【００４３】
なお、図１において、無線通信システム２および無線通信システム３は、互いに独立したシステムであり、互いに異なる提供者により提供されるシステムであってもよい。
【００４４】
また、無線通信システム２は、ネットワーク２２に接続された基地局２１および電話機２３により構成されるように説明したが、これに限らず、ネットワーク２２に接続された複数の基地局および電話機により構成されてもよい。また、無線通信システム２は、この他にも、例えば、ネットワーク２２に接続されたサーバ等の情報処理装置や、基地局を介して無線通信によりネットワーク２２に接続された携帯型無線通信端末装置等により構成されてもよい。
【００４５】
同様に、無線通信システム３も、図１に示す構成に限るものではなく、ネットワーク３２に接続された複数の基地局３１、サーバ３３、電話機、および情報処理装置、並びに、基地局を介して無線通信によりネットワーク３２に接続された携帯型無線通信端末装置等により構成されてもよい。なお、ネットワーク２２とネットワーク３２が接続されていてもよい。
【００４６】
図３は、図１に示す携帯電話機１の構成例を示す図である。
【００４７】
図３において、CPU（Central Processing Unit）１１１は、ROM（Read Only Memory）１１２に記憶されているプログラム、または記憶部１２３からRAM（Random Access Memory）１１３にロードされたプログラムに従って各種の処理を実行する。RAM１１３にはまた、CPU１１１が各種の処理を実行する上において必要なデータなども適宜記憶される。CPU１１１、ROM１１２、およびRAM１１３は、バス１１４を介して相互に接続されている。このバス１１４にはまた、入出力インタフェース１２０も接続されている。
【００４８】
入出力インタフェース１２０には、キーボード、マウスなどよりなる入力部１２１、CRT（Cathode Ray Tube）、LCD（Liquid Crystal Display）などよりなるディスプレイ、並びにスピーカなどよりなる出力部１２２、ハードディスクなどより構成される記憶部１２３、基地局２１と無線通信を行う第１無線通信部１２５、および基地局３１と無線通信を行う第２無線通信部１２６が接続されている。
【００４９】
記憶部１２３には、第１無線通信部１２５および第２無線通信部１２６を介して取得されたデータ、携帯電話機１に関する情報等のデータ、または、各種の処理を実行するためのプログラム等が記憶されており、CPU１１１に制御され、RAM１１３にデータやプログラムを供給する。
【００５０】
第１無線通信部１２５は、アンテナ１２５Ａを介して、無線通信システム２の基地局２１と低速な無線通信を行う。また、第２無線通信部１２６は、アンテナ１２６Ａを介して、無線通信システム３の基地局３１と高速な無線通信を行う。CPU１１１は、第１無線通信部１２５および第２無線通信部１２６の内、通信相手の基地局に応じて、いずれか一方を選択して、無線通信に使用するために動作させる。このとき、使用されない他方の無線通信部は、電力を供給しないようにする。これにより、携帯電話機１の消費電力量を節約し、連続使用可能期間を延ばすことができる。
【００５１】
入出力インタフェース１２０にはまた、必要に応じてドライブ１３０が接続され、磁気ディスク１４１、光ディスク１４２、光磁気ディスク１４３、或いは半導体メモリ１４４などが適宜装着され、それらから読み出されたコンピュータプログラムやデータが、必要に応じて記憶部１２３にインストールされる。
【００５２】
図４は、図１に示す基地局２１の構成例を示すブロック図である。
【００５３】
図４において、CPU２１１は、ROM２１２に記憶されているプログラム、または記憶部２２３からRAM２１３にロードされたプログラムに従って各種の処理を実行する。RAM２１３にはまた、CPU２１１が各種の処理を実行する上において必要なデータなども適宜記憶される。CPU２１１、ROM２１２、およびRAM２１３は、バス２１４を介して相互に接続されている。このバス２１４にはまた、入出力インタフェース２２０も接続されている。
【００５４】
入出力インタフェース２２０には、キーボード、マウスなどよりなる入力部２２１、CRT、LCDなどよりなるディスプレイ、並びにスピーカなどよりなる出力部２２２、ハードディスクなどより構成される記憶部２２３、モデム、ターミナルアダプタなどより構成され、ネットワーク２２に接続された通信部２２４、並びに、携帯電話機１または基地局３１と無線通信を行う無線通信部２２５が接続されている。
【００５５】
記憶部２２３には、通信部２２４および無線通信部２２５を介して取得されたデータ、または、各種の処理を実行するためのプログラム等が記憶されており、CPU３１１に制御され、RAM２１３にデータやプログラムを供給する。
【００５６】
通信部２２４は、ネットワーク２２に接続され、例えば、ネットワーク２２を介して、電話機２３と有線通信を行う。無線通信部２２５は、アンテナ２２５Ａを介して、基地局２１が配置されたセルに存在する携帯電話機１と低速な無線通信を行う。なお、無線通信部２２５は、後述するように、アンテナ２２５Ａを介して、同じセル内に配置された無線通信システム３の基地局３１と無線通信を行う。しかしながら、このとき、基地局３１は携帯電話機１になりすまして無線通信を行うため、無線通信部２２５は、基地局３１を携帯電話機１と判断して無線通信を行う。
【００５７】
入出力インタフェース２２０にはまた、必要に応じてドライブ２３０が接続され、磁気ディスク２４１、光ディスク２４２、光磁気ディスク２４３、或いは半導体メモリ２４４などが適宜装着され、それらから読み出されたコンピュータプログラムやデータが、必要に応じて記憶部２２３にインストールされる。
【００５８】
図５は、図１に示す基地局３１の構成例を示すブロック図である。
【００５９】
図５において、CPU３１１は、ROM３１２に記憶されているプログラム、または記憶部３２３からRAM３１３にロードされたプログラムに従って各種の処理を実行する。RAM３１３にはまた、CPU３１１が各種の処理を実行する上において必要なデータなども適宜記憶される。CPU３１１、ROM３１２、およびRAM３１３は、バス３１４を介して相互に接続されている。このバス３１４にはまた、入出力インタフェース３２０も接続されている。
【００６０】
入出力インタフェース３２０には、キーボード、マウスなどよりなる入力部３２１、CRT、LCDなどよりなるディスプレイ、並びにスピーカなどよりなる出力部３２２、ハードディスクなどより構成される記憶部３２３、モデム、ターミナルアダプタなどより構成され、ネットワーク３２に接続された通信部３２４、携帯電話機１と高速な無線通信を行う第１無線通信部３２５、および、無線通信システム２の基地局２１と低速な無線通信を行う第２無線通信部３２６が接続されている。
【００６１】
記憶部３２３には、通信部３２４、第１無線通信部３２５、および第２無線通信部３２６を介して取得されたデータ、または、各種の処理を実行するためのプログラム等が記憶されており、CPU３１１に制御され、RAM３１３にデータやプログラムを供給する。
【００６２】
通信部３２４は、ネットワーク３２に接続され、例えば、ネットワーク３２を介して、サーバ３３と有線通信を行う。第１無線通信部３２５は、アンテナ３２５Ａを介して、基地局３１が配置されたセルに存在する携帯電話機１と高速な無線通信を行う。また、第２無線通信部３２６は、アンテナ３２６Ａを介して、無線通信システム２の基地局２１と低速な無線通信を行う。
【００６３】
なお、第２無線通信部３２６は、同じセル内において第１無線通信部３２５と高速無線通信中の携帯電話機１になりすまして、無線通信を行う。そして、基地局３１のCPU３１１は、第１無線通信部３２６を制御して取得したデータを、第２無線通信部を制御して基地局２１に供給し、また、第２無線通信部を制御して取得したデータを携帯電話機１に供給することにより、携帯電話機１と基地局３１の無線通信を中継する。
【００６４】
入出力インタフェース３２０にはまた、必要に応じてドライブ３３０が接続され、磁気ディスク３４１、光ディスク３４２、光磁気ディスク３４３、或いは半導体メモリ３４４などが適宜装着され、それらから読み出されたコンピュータプログラムやデータが、必要に応じて記憶部３２３にインストールされる。
【００６５】
次に、図１に示す無線通信システムの動作を説明する。
【００６６】
最初に、図６に示すように、携帯電話機１が無線通信システム３の基地局３１を介して、サーバ３３よりデータをダウンロードしている際に、無線通信システム２の基地局２１が、電話機２３から供給された回線接続要求を、携帯電話機１に供給する場合について説明する。
【００６７】
図６は、本発明を適用した無線通信システムにおける回線接続処理の様子の例を示す図である。
【００６８】
図６において、携帯電話機１は、無線通信システム３の基地局３１と無線通信を行い、サーバ３３からデータをダウンロードしている。ダウンロードデータは、サーバ３３よりネットワーク３２を介して基地局３１に供給される。そして、基地局３１は、携帯電話機１と高速な無線通信を行い、ダウンロードデータを携帯電話機１に供給する。
【００６９】
以上のように、携帯電話機１がデータをダウンロードしているときに、無線通信システム２の電話機２３は、携帯電話機１と音声通信を行うために、携帯電話機１との通話要求を、ネットワーク２２を介して、基地局２１に供給する。
【００７０】
通話要求を取得した基地局２１は、携帯電話機１に接続要求を供給する。しかしながら、このとき、携帯電話機１のCPU１１１は、第２無線通信部１２６を制御して、基地局３１と無線通信中であり、第１無線通信部１２５には電力が供給されておらず、基地局２１からの接続要求を取得することができない。そこで、携帯電話機１と無線通信中の基地局３１のCPU３１１が、第２無線通信部３２６を制御して、携帯電話機１の代わりに、その接続要求を取得する。
【００７１】
そして、基地局３１のCPU３１１は、取得した接続要求を、第１無線通信部３２５を介して、ダウンロードデータとともに携帯電話機１に供給する。携帯電話機１のCPU１１１は、取得した接続要求に対する応答を、第２無線通信部１２６を介して、基地局３１に供給する。基地局３１のCPU３１１は、取得した応答を、第２無線通信部３２６を介して、携帯電話機１の代わりに、基地局２１に供給する。このようにして、回線が接続されると、携帯電話機１と電話機２３は、基地局３１、基地局２１、およびネットワーク２２を介して、通話処理を行う。このとき、携帯電話機１は、基地局３１からのデータのダウンロードを続けている。
【００７２】
なお、無線通信システム３による無線通信は無線通信システム２の無線通信と比較して広帯域であるので、基地局３１が基地局２１と携帯電話機１との無線通信を中継した場合、基地局３１は、ダウンロードデータと中継した基地局２１と携帯電話機１の無線通信データを同時に処理することができる。
【００７３】
このような、状況における、無線通信システムの動作の流れの例を、図７のフローチャートを参照して説明する。
【００７４】
最初に、ステップＳ１において、サーバ３３は、ダウンロードデータの供給を開始し、ダウンロードデータを、ネットワーク３２を介して、基地局３１に供給する。以降、ダウンロードデータの供給は、終了処理が行われるまで続けられる。
【００７５】
基地局３１のCPU３１１は、ステップＳ２１において、通信部３２４を介して、サーバ３３より供給されたダウンロードデータを取得すると、ステップＳ２２に進み、第１無線通信部３２５を介して、取得したダウンロードデータを携帯電話機１に供給し、ダウンロードデータの中継を開始する。以降、ダウンロードデータの中継は、一時停止処理または終了処理が行われるまで続けられる。
【００７６】
携帯電話機１のCPU１１１は、ステップＳ５１において、第２無線通信部１２６を介して、基地局３１より供給されたダウンロードデータを取得する。以降、CPU１１１は、第２無線通信部１２６を介して、基地局３１より供給されるダウンロードデータを取得し、記憶部１２３等に記憶させる。
【００７７】
以上の処理が行われている際に、基地局２１のCPU２１１は、ネットワーク２２を介して、電話機２３より供給された呼び出し要求を、ステップＳ７１において、携帯電話機１に対して供給する。しかしながら、このとき、携帯電話機１の第１無線通信部１２５は、電力が供給されておらず動作していないので、呼び出し要求を取得することができない。基地局３１は、このように携帯電話機１が基地局３１と無線通信中の場合、携帯電話機１の代わりに、基地局２１より携帯電話機１に供給される情報を取得するように、予め設定されており、基地局３１のCPU３１１は、第２無線通信部３２６を制御して、ステップＳ２３において、基地局２１より供給された呼び出し要求を取得する。
【００７８】
そして、基地局３１のCPU３１１は、ステップＳ２４において、第２無線通信部３２６を介して取得した呼び出し要求を、第１無線通信部３２５を介して、ダウンロードデータとともに、携帯電話機１に供給する。携帯電話機１のCPU１１１は、ステップＳ５２において、第２無線通信部１２６を制御して、供給された呼び出し要求を、ダウンロードデータとともに取得する。
【００７９】
呼び出し要求を取得したCPU１１１は、第１無線通信部１２５が使用できないので、ステップＳ５３において、第２無線通信部１２６を制御して、呼び出し要求に対応する呼び出し応答を基地局３１に供給する。基地局３１のCPU３１１は、ステップＳ２５において、第１無線通信部３２５を介して、その呼び出し応答を取得すると、ステップＳ２６において、携帯電話機１の代わりに、第２無線通信部３２６を介して、取得した呼び出し応答を基地局２１に供給する。
【００８０】
ステップＳ７２において、基地局２１のCPU２１１は、無線通信部２２５を介して、供給された呼び出し応答を、携帯電話機１より供給されたものとして取得する。そして、呼び出し応答を取得したCPU２１１は、ステップＳ７３において、無線通信部２２５を介して、呼接続要求を携帯電話機１（基地局３１）に供給する。
【００８１】
基地局３１のCPU３１１は、ステップＳ２７において、第２無線通信部３２６を介して、基地局２１より供給された呼接続要求を、携帯電話機１の代わりに取得する。そして、ステップＳ２８において、CPU３１１は、取得した呼接続要求を、第１無線通信部３２５を制御して、ダウンロードデータとともに、携帯電話機１に供給する。
【００８２】
ステップＳ５４において、携帯電話機１のCPU１１１は、第２無線通信部１２６を制御して、ダウンロードデータとともに供給された呼接続要求を取得すると、出力部１２２を制御して着信を示す表示をディスプレイに表示するなどの着信処理を行い、ユーザの指示を待つ。そして、ユーザが応答するように指示すると、CPU１１１は、ステップＳ５５において、第２無線通信部１２６を制御して、呼接続要求に対応する呼接続応答を、基地局３１に供給する。
【００８３】
基地局３１のCPU３１１は、ステップＳ２９において、第１無線通信部３２５を介して、携帯電話機１より供給された呼接続応答を取得すると、ステップＳ３０において、第２無線通信部３２６を介して、携帯電話機１の代わりにその呼接続応答を基地局２１に供給する。
【００８４】
ステップＳ７４において、無線通信部２２５を介して、供給された呼接続応答を取得した、基地局２１のCPU２１１は、ステップＳ７５において、無線通信部２２５を制御して、携帯電話機１と（実際には、基地局３１を介して）無線通信を行い、携帯電話機１と電話機２３の通話データをやり取りする通話処理を実行する。
【００８５】
また、基地局２１のCPU２１１は、ステップＳ３１において、第１無線通信部３２５および第２無線通信部３２６を制御して、上述したような処理と同様に、携帯電話機１と基地局２１との間で行われる無線通信を中継する通話中継処理を実行する。
【００８６】
さらに、携帯電話機１のCPU１１１は、ステップＳ５６において、第２無線通信部１２６を介して、基地局３１を介して、基地局２１と無線通信を行い、通話処理を実行する。
【００８７】
そして、通話が終了すると、携帯電話機１のCPU１１１はステップＳ５７において、基地局２１のCPU２１１はステップＳ７６において、そして、基地局３１のCPU３１１はステップＳ３２において、それぞれ、回線を電気的に切断し、通話処理および通話中継処理を終了する。
【００８８】
その後、サーバ３３において、ダウンロードデータの供給が完了すると、サーバ３３は、ステップＳ２において、ダウンロードデータの供給を終了し、ネットワーク３２を介して、基地局３１にダウンロードの終了を示す通知を行う。基地局３１のCPU３１１は、ステップＳ３３において、通信部３２４を制御して、サーバ３３よりダウンロードの終了の通知を取得すると、ステップＳ３４において、ダウンロードデータの中継を終了し、第１無線通信部３２５を介して、携帯電話機１にダウンロードの終了を通知する。携帯電話機１のCPU１１１は、ステップＳ５８において、その通知を取得する。
【００８９】
以上のようにして、接続処理が行われるため、携帯電話機１は、基地局３１と無線通信中であっても、基地局２１との無線通信を行うことができ、電話機２３との音声通話を行うことができる。
【００９０】
また、無線通信システム２の基地局２１は、携帯電話機１と直接通信を行っているのと同様に処理することができるので、基地局２１を含む無線通信システム２は、上述したようなシステム構成の既存の設備により構成することができる。
【００９１】
また、以上のような処理の他に、基地局２１より供給される接続要求に対する応答メッセージを予め基地局３１に登録しておき、基地局３１がこの応答メッセージを基地局２１に供給することで、自動的に接続を拒否するようにしてもよい。
【００９２】
図８は、本発明を適用した無線通信システムにおける回線接続処理の様子の他の例を示す図である。図６と同様の部分については、その説明を省略する。
【００９３】
図８において、携帯電話機１がデータをダウンロードしている場合、電話機２３より通話要求を取得した基地局２１は、無線通信部２２５を制御して、アンテナ２２５Ａを介して、携帯電話機１に接続要求を供給する。そして、携帯電話機１と無線通信中の基地局３１のCPU３１１が、第２無線通信部３２６を制御して、携帯電話機１の代わりに、その接続要求を取得する。
【００９４】
そして、接続要求を取得した基地局３１のCPU３１１は、記憶部３２３を制御して、予め設定されている応答メッセージを取得し、第２無線通信部３２６を介して、携帯電話機１の代わりに、基地局２１に供給し、接続を拒否する。接続を拒否された基地局２１は、接続処理を終了する。
【００９５】
応答メッセージは、予め基地局３１に登録されている。その登録方法は、例えば、携帯電話機１が基地局３１の設置されたセル内に外部より移動した際に、応答メッセージが携帯電話機１から基地局３１に自動的に供給され、登録されるようにしたり、携帯電話機１が基地局３１との高速無線通信を開始する際に、応答メッセージが携帯電話機１から基地局３１に自動的に供給され、登録されるようにしたり、携帯電話機１のユーザの指示に合わせて供給され、登録されるようにしたりする等、どのような方法であってもよい。
【００９６】
また、メッセージはどのような内容でも良く、例えば、「ただいま、都合により出られません。しばらく経ってから、お掛け直しください。」等のような、予め決められた所定のメッセージを用いるようにしてもよいし、携帯電話機１のユーザが、入力したメッセージを用いるようにしてもよい。さらに、応答メッセージは、音声データだけでなく、例えば、映像データや文字データであってもよい。
【００９７】
このような、状況における、無線通信システムの動作の流れの他の例を、図９のフローチャートを参照して説明する。
【００９８】
最初に、ステップＳ９１において、サーバ３３は、ダウンロードデータの供給を開始し、ダウンロードデータを、ネットワーク３２を介して、基地局３１に供給する。以降、ダウンロードデータの供給は、終了処理が行われるまで続けられる。
【００９９】
基地局３１のCPU３１１は、ステップＳ１１１において、通信部３２４を介して、サーバ３３より供給されたダウンロードデータを取得すると、ステップＳ１１２に進み、第１無線通信部３２５を介して、取得したダウンロードデータを携帯電話機１に供給し、ダウンロードデータの中継を開始する。以降、ダウンロードデータの中継は、一時停止処理または終了処理が行われるまで続けられる。
【０１００】
携帯電話機１のCPU１１１は、ステップＳ１３１において、第２無線通信部１２６を介して、基地局３１より供給されたダウンロードデータを取得する。以降、CPU１１１は、第２無線通信部１２６を介して、基地局３１より供給されるダウンロードデータを取得し、記憶部１２３等に記憶させる。
【０１０１】
以上の処理が行われている際に、基地局２１のCPU２１１は、ネットワーク２２を介して、電話機２３より供給された呼び出し要求を、ステップＳ１５１において、携帯電話機１に対して供給する。しかしながら、このとき、携帯電話機１の第１無線通信部１２５は、電力が供給されておらず動作していないので、呼び出し要求を取得することができない。基地局３１は、このように携帯電話機１が基地局３１と無線通信中の場合、携帯電話機１の代わりに、基地局２１より携帯電話機１に供給される情報を取得するように、予め設定されており、基地局３１のCPU３１１は、第２無線通信部３２６を制御して、ステップＳ１１３において、基地局２１より供給された呼び出し要求を取得する。
【０１０２】
呼び出し要求を取得した基地局３１のCPU３１１は、予め記憶部３２３に登録されている、接続要求に対して接続拒否を通知する応答メッセージである接続拒否メッセージを、記憶部３２３より取得する。
【０１０３】
そして、CPU３１１は、ステップＳ１１４において、第２無線通信部３２６を制御して、取得した接続拒否メッセージを、携帯電話機１の代わりに、基地局２１に供給して接続を拒否する。この際、CPU３１１は、基地局２１からの呼び出しの履歴に関する情報である呼び出し履歴情報を生成し、記憶部３２３に記憶する。基地局２１１のCPU２１１は、ステップＳ１５２において、無線通信部２２５を介して、接続拒否メッセージを取得し、接続処理を終了する。
【０１０４】
その後、サーバ３３において、ダウンロードデータの供給が完了すると、サーバ３３は、ステップＳ９２において、ダウンロードデータの供給を終了し、ネットワーク３２を介して、基地局３１にダウンロードの終了を示す通知を行う。基地局３１のCPU３１１は、ステップＳ１１５において、通信部３２４を制御して、サーバ３３よりダウンロードの終了の通知を取得すると、ステップＳ１１６において、ダウンロードデータの中継を終了し、第１無線通信部３２５を介して、携帯電話機１にダウンロードの終了を通知する。携帯電話機１のCPU１１１は、ステップＳ１３２において、その通知を取得する。
【０１０５】
また、基地局３１のCPU３１１は、ダウンロードデータの中継処理が終了すると、記憶部３２３に記憶されている呼び出し履歴情報を取得し、ステップＳ１１７において、第１無線通信部３２５を介して、携帯電話機１に供給する。携帯電話機１のCPU１１１は、ステップＳ１３３において、第２無線通信部１２６を制御して、供給された呼び出し履歴情報を取得すると、その呼び出し履歴情報を、出力部１２２を制御してディスプレイ等に表示し、通信中に呼び出しがあったことをユーザに知らせる。
【０１０６】
以上のようにして、基地局３１と高速無線通信中の携帯電話機１に、基地局２１から呼び出しが行われても、携帯電話機１に代わって基地局３１が接続拒否処理を行うので、基地局２１を含む無線通信システム２は、無駄な通信を抑制することができる。また、基地局３１は、接続拒否処理を行う際に、その呼び出し要求の履歴を記憶し、高速無線通信終了後に、携帯電話機１にその履歴情報を供給するので、携帯電話機１のユーザは、通信中に呼び出しがあったことを知ることができる。
【０１０７】
なお、基地局３１の接続拒否処理は、接続拒否メッセージを基地局２１に供給するだけでなく、例えば、携帯電話機１の代わりに、電話機２３と通信を行えるように、一旦、回線を接続し、電話機２３のユーザにメッセージを入力させるようにし、入力されたメッセージを記憶部３２３に記憶するようにしてもよい。そして、携帯電話機１との無線通信終了後、携帯電話機１に、第１無線通信部３２５を介して、呼び出し履歴情報とともに、記憶部３２３に記憶されたメッセージを供給するようにしてもよい。
【０１０８】
次に、携帯電話機１が基地局３１との高速無線通信よりも、基地局２１との低速無線通信を優先させる場合について説明する。
【０１０９】
図１０は、本発明を適用した無線通信システムにおける回線接続処理の様子の他の例を示す図である。図６および８と同様の部分については、その説明を省略する。
【０１１０】
図１０において、基地局３１のCPU３１１は、基地局２１より取得した、電話機２３からの接続要求を、第１無線通信部３２５を介して、ダウンロードデータとともに、携帯電話機１に供給する。接続要求を取得した携帯電話機１のCPU１１１は、取得した接続要求に対する応答を直接行うために、ダウンロードの一時停止要求を、第２無線通信部１２６を介して基地局３１に供給する。ダウンロード一時停止要求を取得した基地局３１のCPU３１１は、サーバ３３から供給されるダウンロードデータを、携帯電話機１に供給せずに、記憶部３２３に蓄積するようにする。
【０１１１】
要求に基づいて、ダウンロードが停止されると、携帯電話機１のCPU１１１は、電力を供給する通信部を第２無線通信部１２６から第１無線通信部１２５に切り替え、第１無線通信部１２５を制御して、基地局２１に接続要求に対する応答を供給する。このようにして、回線が接続されると、携帯電話機１と電話機２３は、基地局２１、およびネットワーク２２を介して、通話処理を行う。このとき、携帯電話機１は、基地局３１からのデータのダウンロードは停止している。
【０１１２】
そして、電話機２３との通話処理が終了すると、携帯電話機１のCPU１１１は、ユーザの指示に基づいて、電力を供給する通信部を第１無線通信部１２５から第２無線通信部１２６に切り替え、第２無線通信部１２６を制御して、基地局３１に、ダウンロードの再開を要求する。基地局３１のCPU３１１は、この要求に基づいて、記憶部３２３より、既に蓄積されたダウンロードデータを取得し、携帯電話機１への供給を再開する。
【０１１３】
このような、状況における、無線通信システムの動作の流れの他の例を、図１１のフローチャートを参照して説明する。
【０１１４】
最初に、ステップＳ１７１において、サーバ３３は、ダウンロードデータの供給を開始し、ダウンロードデータを、ネットワーク３２を介して、基地局３１に供給する。以降、ダウンロードデータの供給は、終了処理が行われるまで続けられる。
【０１１５】
基地局３１のCPU３１１は、ステップＳ１９１において、通信部３２４を介して、サーバ３３より供給されたダウンロードデータを取得すると、ステップＳ１９２に進み、第１無線通信部３２５を介して、取得したダウンロードデータを携帯電話機１に供給し、ダウンロードデータの中継を開始する。以降、ダウンロードデータの中継は、一時停止処理または終了処理が行われるまで続けられる。
【０１１６】
携帯電話機１のCPU１１１は、ステップＳ２１１において、第２無線通信部１２６を介して、基地局３１より供給されたダウンロードデータを取得する。以降、CPU１１１は、第２無線通信部１２６を介して、基地局３１より供給されるダウンロードデータを取得し、記憶部１２３等に記憶させる。
【０１１７】
以上の処理が行われている際に、基地局２１のCPU２１１は、ネットワーク２２を介して、電話機２３より供給された呼び出し要求を、ステップＳ２４１において、携帯電話機１に対して供給する。しかしながら、このとき、携帯電話機１の第１無線通信部１２５は、電力が供給されておらず動作していないので、呼び出し要求を取得することができない。基地局３１は、このように携帯電話機１が基地局３１と無線通信中の場合、携帯電話機１の代わりに、基地局２１より携帯電話機１に供給される情報を取得するように、予め設定されており、基地局３１のCPU３１１は、第２無線通信部３２６を制御して、ステップＳ１９３において、基地局２１より供給された呼び出し要求を取得する。
【０１１８】
そして、基地局３１のCPU３１１は、ステップＳ１９４において、第２無線通信部３２６を介して取得した呼び出し要求を、第１無線通信部３２５を介して、ダウンロードデータとともに、携帯電話機１に供給する。携帯電話機１のCPU１１１は、ステップＳ２１２において、第２無線通信部１２６を制御して、供給された呼び出し要求を、ダウンロードデータとともに取得する。
【０１１９】
呼び出し要求を取得したCPU１１１は、基地局２１に直接呼び出し要求に対する応答を行うために、ステップＳ２１３において、第２無線通信部１２６を制御して、ダウンロード一時停止要求を基地局３１に供給する。基地局３１のCPU３１１は、ステップＳ１９５において、第１無線通信部３２５を介して、そのダウンロード一時停止要求を取得すると、ステップＳ１９６において、ダウンロードデータの中継を停止し、サーバ３３から供給されるダウンロードデータを携帯電話機１に供給せずに、記憶部３２３に蓄積するようにする。
【０１２０】
要求に基づいて、ダウンロードが停止されると、携帯電話機１のCPU１１１は、ステップＳ２１４において、電力を供給する通信部を第２無線通信部１２６から第１無線通信部１２５に切り替えて、電力が供給された第１無線通信部１２５を制御して、呼び出し要求に対する呼び出し応答を基地局２１に直接供給する。
【０１２１】
ステップＳ２４２において、基地局２１のCPU２１１は、無線通信部２２５を介して、供給された呼び出し応答を取得し、ステップＳ２４３において、無線通信部２２５を介して、呼接続要求を携帯電話機１に供給する。
【０１２２】
携帯電話機１のCPU１１１は、ステップＳ２１５において、第１無線通信部１２５を介して、基地局２１より供給された呼接続要求を取得する。携帯電話機１のCPU１１１は、呼接続要求を取得すると、出力部１２２を制御して着信を示す表示をディスプレイに表示するなどの着信処理を行い、ユーザの指示を待つ。そして、ユーザが応答するように指示すると、CPU１１１は、ステップＳ２１６において、第１無線通信部１２５を制御して、呼接続要求に対応する呼接続応答を、基地局２１に供給する。
【０１２３】
ステップＳ２４４において、無線通信部２２５を介して、供給された呼接続応答を取得した、基地局２１のCPU２１１は、ステップＳ２４５において、無線通信部２２５を制御して、携帯電話機１と無線通信を行い、携帯電話機１と電話機２３の通話データをやり取りする通話処理を実行する。
【０１２４】
また、携帯電話機１のCPU１１１は、ステップＳ２１７において、第１無線通信部１２５を介して、基地局２１と無線通信を行い、通話処理を実行する。
【０１２５】
なお、サーバ３３は、ネットワーク３２を介して、基地局３１にダウンロードデータを供給し続けているが、ダウンロードデータが終了した場合、ステップＳ１７２において、ダウンロードデータの供給を終了し、ネットワーク３２を介して、基地局３１にダウンロードの終了を示す通知を行う。基地局３１のCPU３１１は、ステップＳ１９７において、通信部３２４を制御して、サーバ３３よりダウンロードの終了の通知を取得する。
【０１２６】
そして、携帯電話機１と電話機２３の通話が終了すると、携帯電話機１のCPU１１１はステップＳ２１８において、基地局２１のCPU２１１はステップＳ２４６において、それぞれ、回線を電気的に切断し、通話処理を終了する。
【０１２７】
通話処理が終了した携帯電話機１のCPU１１１は、ユーザの指示に基づいて、電力を供給する通信部を、第１無線通信部１２５から第２無線通信部１２６に切り替え、電力が供給された第２無線通信部１２６を制御して、ステップＳ２１９において、基地局３１に、ダウンロードの再開を要求するダウンロード再開要求を供給する。
【０１２８】
基地局３１のCPU３１１は、ステップＳ１９８において、第１無線通信部３２５を制御して、携帯電話機１から供給されたダウンロード再開要求を取得し、その要求に基づいて、ステップＳ１９９において、記憶部３２３に蓄積されているダウンロードデータを、第１無線通信部３２５を制御して、携帯電話機１に供給する。
【０１２９】
携帯電話機１のCPU１１１は、ステップＳ２２０において、第２無線通信部１２６を介して、供給が再開されたダウンロードデータを取得する。
【０１３０】
以上のようにして、接続処理が行われるため、携帯電話機１は、基地局３１と無線通信中であっても、その無線通信を一旦停止することで、基地局２１との無線通信を行うことができ、電話機２３との音声通話を行うことができる。
【０１３１】
また、無線通信システム３の基地局３１は、携帯電話機１へのダウンロードデータの供給が一時停止している間、サーバ２２より供給されたデータを記憶部３２３に記憶するようにしているので、携帯電話機１は、基地局２１を介した無線通信終了後に、基地局３１に対して、ダウンロードの再開を要求することができ、最初からダウンロードしなおす必要がなく、無線通信システム３および携帯電話機１は、無駄な通信を抑制することができる。
【０１３２】
以上のような処理において、携帯電話機１が基地局３１に対して、ダウンロードの再開を要求しなかった場合、基地局３１のCPU３１１は、蓄積しているダウンロードデータを、いつまでも保存せずに、破棄することができるようにしてもよい。
【０１３３】
図１２は、本発明を適用した無線通信システムにおける回線接続処理の様子の他の例を示す図である。図６，８、および１０と同様の部分については、その説明を省略する。
【０１３４】
図６において、基地局２１を介して、電話機２３と通話処理を行った携帯電話機１が、例えば、エリア外に移動したり、電源を切断したりする等して、一時停止しているダウンロード処理を再開させるためのダウンロード再開要求を、基地局３１に供給しない場合、基地局３１は、所定の時間が経過すると、サーバ３３から供給され、記憶部３２３に記憶されている、携帯電話機１に未供給なダウンロードデータを破棄する。
【０１３５】
なお、所定の時間は予め定められており、その期間は、例えば、数分、数時間、または数日等、システムに負担がかからないような期間であれば、どの程度であってもよい。
【０１３６】
このような、状況における、無線通信システムの動作の流れの他の例を、図１３のフローチャートを参照して説明する。
【０１３７】
最初に、ステップＳ２６１において、サーバ３３は、ダウンロードデータの供給を開始し、ダウンロードデータを、ネットワーク３２を介して、基地局３１に供給する。以降、ダウンロードデータの供給は、終了処理が行われるまで続けられる。
【０１３８】
基地局３１のCPU３１１は、ステップＳ２８１において、通信部３２４を介して、サーバ３３より供給されたダウンロードデータを取得すると、ステップＳ２８２に進み、第１無線通信部３２５を介して、取得したダウンロードデータを携帯電話機１に供給し、ダウンロードデータの中継を開始する。以降、ダウンロードデータの中継は、一時停止処理または終了処理が行われるまで続けられる。
【０１３９】
携帯電話機１のCPU１１１は、ステップＳ３０１において、第２無線通信部１２６を介して、基地局３１より供給されたダウンロードデータを取得する。以降、CPU１１１は、第２無線通信部１２６を介して、基地局３１より供給されるダウンロードデータを取得し、記憶部１２３等に記憶させる。
【０１４０】
以上の処理が行われている際に、基地局２１のCPU２１１は、ネットワーク２２を介して、電話機２３より供給された呼び出し要求を、ステップＳ３２１において、携帯電話機１に対して供給する。しかしながら、このとき、携帯電話機１の第１無線通信部１２５は、電力が供給されておらず動作していないので、呼び出し要求を取得することができない。基地局３１は、このように携帯電話機１が基地局３１と無線通信中の場合、携帯電話機１の代わりに、基地局２１より携帯電話機１に供給される情報を取得するように、予め設定されており、基地局３１のCPU３１１は、第２無線通信部３２６を制御して、ステップＳ２８３において、基地局２１より供給された呼び出し要求を取得する。
【０１４１】
そして、基地局３１のCPU３１１は、ステップＳ２８４において、第２無線通信部３２６を介して取得した呼び出し要求を、第１無線通信部３２５を介して、ダウンロードデータとともに、携帯電話機１に供給する。携帯電話機１のCPU１１１は、ステップＳ３０２において、第２無線通信部１２６を制御して、供給された呼び出し要求を、ダウンロードデータとともに取得する。
【０１４２】
呼び出し要求を取得したCPU１１１は、基地局２１に直接呼び出し要求に対する応答を行うために、ステップＳ３０３において、第２無線通信部１２６を制御して、ダウンロード一時停止要求を基地局３１に供給する。基地局３１のCPU３１１は、ステップＳ２８５において、第１無線通信部３２５を介して、そのダウンロード一時停止要求を取得すると、ステップＳ２８６において、ダウンロードデータの中継を停止し、サーバ３３から供給されるダウンロードデータを携帯電話機１に供給せずに、記憶部３２３に蓄積するようにする。
【０１４３】
要求に基づいて、ダウンロードが停止されると、携帯電話機１のCPU１１１は、ステップＳ３０４において、電力を供給する通信部を第２無線通信部１２６から第１無線通信部１２５に切り替えて、電力が供給された第１無線通信部１２５を制御して、呼び出し要求に対する呼び出し応答を基地局２１に直接供給する。
【０１４４】
ステップＳ３２２において、基地局２１のCPU２１１は、無線通信部２２５を介して、供給された呼び出し応答を取得し、ステップＳ３２３において、無線通信部２２５を介して、呼接続要求を携帯電話機１に供給する。
【０１４５】
携帯電話機１のCPU１１１は、ステップＳ３０５において、第１無線通信部１２５を介して、基地局２１より供給された呼接続要求を取得する。携帯電話機１のCPU１１１は、呼接続要求を取得すると、出力部１２２を制御して着信を示す表示をディスプレイに表示するなどの着信処理を行い、ユーザの指示を待つ。そして、ユーザが応答するように指示すると、CPU１１１は、ステップＳ３０６において、第１無線通信部１２５を制御して、呼接続要求に対応する呼接続応答を、基地局２１に供給する。
【０１４６】
ステップＳ３２４において、無線通信部２２５を介して、供給された呼接続応答を取得した、基地局２１のCPU２１１は、ステップＳ３２５において、無線通信部２２５を制御して、携帯電話機１と無線通信を行い、携帯電話機１と電話機２３の通話データをやり取りする通話処理を実行する。
【０１４７】
また、携帯電話機１のCPU１１１は、ステップＳ３０７において、第１無線通信部１２５を介して、基地局２１と無線通信を行い、通話処理を実行する。
【０１４８】
なお、サーバ３３は、ネットワーク３２を介して、基地局３１にダウンロードデータを供給し続けているが、ダウンロードデータが終了した場合、ステップＳ２６２において、ダウンロードデータの供給を終了し、ネットワーク３２を介して、基地局３１にダウンロードの終了を示す通知を行う。基地局３１のCPU３１１は、ステップＳ２８７において、通信部３２４を制御して、サーバ３３よりダウンロードの終了の通知を取得する。ダウンロードの終了の通知を取得した基地局３１のCPU３１１は、タイマ機能を起動し、サーバ３３からのダウンロードデータの供給が終了した時刻からの経過時間を計測する。
【０１４９】
そして、携帯電話機１が基地局３１にダウンロード再開要求を供給しない場合、基地局３１のCPU３１１は、サーバ３３からのダウンロードデータの供給が終了した時刻から、所定の時間が経過した場合、ステップＳ２８８に進み、記憶部３２３に蓄積しているダウンロードデータを破棄する。
【０１５０】
以上のようにして、基地局３１は、携帯電話機１への供給が再開されないと判定できる所定の期間蓄積しているダウンロードデータを、破棄することができるので、無理な負荷がかかるのを抑制することができ、基地局３１の信頼性を増加させることができる。また、基地局３１が負荷に耐えられるように過大な設備投資を行う必要も無くなる。
【０１５１】
なお、基地局３１がダウンロードデータを破棄するタイミングは、サーバ３３からのダウンロードデータの供給が終了した時刻からの経過時間だけでなく、例えば、ダウンロードデータの中継を停止した時刻からの経過時間等のように、どのようなタイミングでもよい。
【０１５２】
また、以上において、図示、および説明は省略しているが、携帯電話機１のCPU１１１は、第１無線通信部１２５を制御して、所定の間隔で常に、無線通信システム２に対する確認信号あるいはトラヒックの伝送を、携帯電話機１が存在するセルに配置されている基地局２１に供給している。
【０１５３】
無線通信システム２の基地局２１は、この無線通信システム２に対する確認信号あるいはトラヒックを取得することにより、携帯電話機１が同じセル内に位置することを把握することができる。
【０１５４】
すなわち、例えば、基地局３１は、携帯電話機１が基地局２１に対して送信している確認信号あるいはトラヒックを受信することにより、該携帯電話機１が基地局３１と通信可能な状態にあるか否かを認識することができる。基地局３１が携帯電話機１から送信されている上記確認信号あるいはトラヒックを取得できない場合には、基地局３１は該携帯電話機１が自セル外に移動したことがわかる。
【０１５５】
このように、基地局２１に供給される確認信号あるいはトラヒックを傍受できるか否かに基づいて、基地局３１が、ダウンロードデータを破棄するタイミングを制御するようにしてもよい。例えば、携帯電話機１が基地局３１にダウンロード再開要求を供給する前に、基地局３１が配置されたセルの外側に移動した場合、すなわち、携帯電話機１からの確認信号が取得できなくなった場合、基地局３１は、記憶部３２３に蓄積されているダウンロードデータを破棄するようにしてもよい。
【０１５６】
以上のように、基地局３１は、様々なタイミングで、記憶部３２３に蓄積されているダウンロードデータを破棄することができる。
【０１５７】
次に、以上に説明したような処理を実行する基地局３１による呼び出し中継処理について、図１４乃至図１６のフローチャートを参照して説明する。
【０１５８】
基地局３１のCPU３１１は、例えば、図７のステップＳ２２の処理において、ダウンロードデータの中継を開始すると、ダウンロードの中継処理とともに、呼び出し中継処理を実行する。
【０１５９】
最初に、基地局３１のCPU３１１は、図１４のステップＳ４０１において、携帯電話機１へのデータのダウンロードが終了したか否かを判定し、終了していないと判定した場合、ステップＳ４０２に進み、第２無線通信部３２６を制御して、基地局２１より、呼び出し要求を取得したか否かを判定し、取得したと判定していないと判定した場合、ステップＳ４０１に戻り、それ以降の処理を繰り返す。すなわち、CPU３１１は、携帯電話機１にダウンロードデータを供給中は、基地局２１からの呼び出し処理を取得するまで待機する。
【０１６０】
呼び出し要求を取得したと判定した場合、CPU３１１は、ステップＳ４０３に進み、記憶部３２３に予め記憶されている応答方法指定情報を読み取る。この応答方法指定情報は、携帯電話機１のユーザが予め登録した情報であり、呼び出し要求に対する応答方法等が含まれる。CPU３１１は、この応答方法指定情報に指定された方法に基づいて、応答処理を実行する。
【０１６１】
応答方法指定情報を取得したCPU３１１は、ステップＳ４０４に進み、携帯電話機１の代わりに接続拒否メッセージ等を基地局２１に供給する代理応答を行うか否かを判定する。代理応答処理を行わないと判定した場合、CPU３１１は、ステップＳ４０５に進み、第１無線通信部３２５を制御して、携帯電話機１に呼び出し通知を供給する。
【０１６２】
呼び出し通知を供給したCPU３１１は、ステップＳ４０６に進み、第１無線通信部３２５を制御して、呼び出し通知に対応する呼び出し応答を取得したか否かを判定する。取得したと判定した場合、CPU３１１は、ステップＳ４０７に進み、第２無線通信部３２６を制御して、携帯電話機１の代わりに、呼び出し応答を、呼び出し要求を供給した基地局２１に供給する。そして、呼び出し応答を供給したCPU３１１は、図１５のステップＳ４２１に進む。
【０１６３】
また、ステップＳ４０１において、携帯電話機１へのデータのダウンロードが終了したと判定した場合、CPU３１１は、ステップＳ４０８に進み、記憶部３２３に記憶されている呼び出し履歴情報を供給し、呼び出し中継処理を終了する。
【０１６４】
次に、ステップＳ４０４において、代理応答を行うと判定した場合、CPU３１１は、ステップＳ４０９に進み、取得した呼び出し要求について呼び出し履歴情報を生成し、記憶部３２３に記憶し、呼び出し要求を供給した基地局２１に、接続拒否メッセージを供給する。ステップＳ４０９に処理が完了するとCPU３１１は、ステップＳ４０１に戻り、それ以降の処理を繰り返す。
【０１６５】
また、ステップＳ４０６において、呼び出し通知を供給した後、所定の時間が経過するなどしても、呼び出し応答を取得していないと判定した場合、CPU３１１は、ステップＳ４１０に進み、呼び出し応答ではなくて、ダウンロード一時停止要求を取得したか否かを判定し、取得したと判定すると、CPU４１０は、図１６のステップＳ４４１に進む。
【０１６６】
さらに、CPU３１１は、ステップＳ４１０において、例えば、携帯電話機１から、呼び出し通知に対して接続拒否応答が取得されたりする等して、ダウンロード一時停止要求を取得していないと判定した場合、ステップＳ４１１に進み、エラー処理を実行し、この呼び出し要求に対する処理を終了し、ステップＳ４０１に戻り、それ以降の処理を繰り返す。
【０１６７】
図１５のステップＳ４２１に進んだCPU３１１は、呼び出し要求を供給した基地局２１より、呼び接続要求を取得したか否かを判定する。そして、取得したと判定した場合、CPU３１１は、ステップＳ４２２に進み、携帯電話機１に、取得した呼接続要求を供給する。
【０１６８】
そして、ステップＳ４２３において、CPU３１１は、供給した呼接続要求に対応する呼接続応答を取得したか否かを判定する。取得したと判定した場合、CPU３１１は、ステップＳ４２４に進み、呼接続応答を、呼接続要求を供給した基地局２１に供給する。そして、CPU３１１は、ステップＳ４２５において、通話中継処理を実行する。ステップＳ４２６において、CPU３１１は、通話が終了したか否かを判定し、終了していないと判定した場合、CPU３１１は、ステップＳ４２５に戻り、それ以降の処理を繰り返す。
【０１６９】
また、ステップＳ４２６において、通話が終了したと判定した場合、CPU３１１は、ステップＳ４２７に進み、回線切断処理を実行し、図１４のステップＳ４０１に戻り、それ以降の処理を繰り返す。
【０１７０】
図１５のステップＳ４２１において、呼接続要求を取得していないと判定した場合、CPU３１１は、ステップＳ４２８に進み、エラー処理を実行した後、図１４のステップＳ４０１に戻り、それ以降の処理を繰り返す。
【０１７１】
また、図１５のステップＳ４２３において、呼接続応答を取得していないと判定した場合も同様に、CPU３１１は、ステップＳ４２８に進み、エラー処理を実行した後、図１４のステップＳ４０１に戻り、それ以降の処理を繰り返す。
【０１７２】
図１６のステップＳ４４１に進んだCPU３１１は、図１４のステップＳ４１０において取得したと判定した要求に基づいて、携帯電話機１へのダウンロードを中止し、サーバ３３からダウンロードされるデータを記憶部３２３に保存する。
【０１７３】
そして、CPU３１１は、ステップＳ４４２に進み、サーバからのダウンロードが終了したか否かを判定する。終了していないと判定した場合、CPU３１１は、ステップＳ４４３に進み、携帯電話機１が、基地局３１の存在するセル外に移動したか否かを判定する。移動していないと判定するとCPU３１１は、ステップＳ４４４に進み、ダウンロード再開要求を取得したか否かを判定し、取得していないと判定した場合、ステップＳ４４２に戻り、それ以降の処理を繰り返す。
【０１７４】
また、ステップＳ４４４において、ダウンロード再開要求を取得したと判定した場合、CPU３１１は、ステップＳ４４５に進み、記憶部３２３に保存したデータを携帯電話機１にダウンロードする。ステップＳ４４５の処理が終了したCPU３１１は、図１４のステップＳ４０１に戻り、それ以降の処理を繰り返す。
【０１７５】
図１５のステップＳ４４３において、CPU３１１は、携帯電話機１が基地局３１の存在するセル外に移動したと判定した場合、ステップＳ４４６に進み、エラー処理を行い、保存したデータを破棄すると、図１４のステップＳ４０８に進む。
【０１７６】
また、図１５のステップＳ４４２において、サーバ３３からのダウンロードが終了したと判定した場合、CPU３１１は、ステップＳ４４７において、所定の時間が経過した、または、携帯電話機１が基地局３１の設置されたセル外に移動したか否かを判定する。そして、所定の時間が経過しておらず、また、携帯電話機１が基地局３１の設置されたセルの外側に移動したと判定した場合、CPU３１１は、ステップＳ４４８に進み、ダウンロード再開要求を取得したか否かを判定し、取得していないと判定した場合、ステップＳ４４７に戻り、それ以降の処理を繰り返す。取得したと判定した場合、CPU３１１は、ステップＳ４４９に進み、保存したデータを携帯電話機１にダウンロードし、図１４のステップＳ４０８に進む。
【０１７７】
なお、ステップＳ４４７において、所定の時間が経過したか、または、携帯電話機１が、基地局３１の配置されたセル外に移動したと判定した場合、CPU３１１は、ステップＳ４５０に進み、エラー処理を行い、保存したデータを破棄すると、図１４のステップＳ４０８に進む。
【０１７８】
以上のようにして、基地局３１のCPU３１１は、呼び出し中継処理を実行する。
【０１７９】
続いて、以上の基地局３１による呼び出し中継処理に対応して実行される、携帯電話機１による呼び出し応答処理について、図１７および図１８の処理を参照して説明する。
【０１８０】
携帯電話機１のCPU１１１は、最初に、ステップＳ４７１において、基地局３１からのデータのダウンロードが終了したか否かを判定し、終了したと判定した場合、CPU１１１は、呼び出し応答処理を終了する。
【０１８１】
また、終了していないと判定した場合、CPU１１１は、ステップＳ４７２に進み、基地局３１より呼び出し通知を取得したか否かを判定し、取得していないと判定した場合、CPU１１１は、ステップＳ４７１に戻り、それ以降の処理を繰り返す。
【０１８２】
また、取得したと判定した場合、CPU１１１は、ステップＳ４７３に進み、記憶部１２３に記憶されている応答処理設定情報を取得する。応答処理設定情報は、予めユーザにより入力された、呼び出し通知に対する応答の方法を含む情報である。CPU１１１は、この情報に基づいて、呼び出し通知に対して行う処理を決定する。
【０１８３】
応答処理設定情報を取得したCPU１１１は、ステップＳ４７４において、ダウンロードを中止するか否かを判定する。ダウンロードを中止しないと判定した場合、CPU１１１は、ステップＳ４７５に進み、呼び出し応答を基地局３１に供給する。そして、ステップＳ４７６において、CPU１１１は、基地局３１より呼接続要求を取得したか否かを判定する。取得したと判定した場合、CPU１１１は、ステップＳ４７７に進み、ディスプレイ等に着信情報を表示し、ユーザに着信を知らせる着信通知処理を実行し、ユーザからの入力を受け付ける。
【０１８４】
そして、ステップＳ４７８において、CPU１１１は、ユーザからの指示に基づいて、通話処理を開始するか否かを判定し、開始すると判定した場合、ステップＳ４７９に進み、基地局３１に呼接続応答を供給する。CPU１１１は、さらに、ステップＳ４８０において、通話処理を実行し、ステップＳ４８１において、通話処理が終了したか否かを判定する。終了していないと判定した場合は、CPU１１１は、ステップＳ４８０に戻り、それ以降の処理を繰り返す。
【０１８５】
また、終了したと判定した場合、CPU１１１は、ステップＳ４８２に進み、回線切断処理を実行し、回線が電気的に切断されると、ステップＳ４７１に戻り、それ以降の処理を繰り返す。
【０１８６】
ところで、CPU１１１は、ステップＳ４７４において、ダウンロードを中止すると判定した場合、図１８のステップＳ５０１に進む。
【０１８７】
なお、ステップＳ４７６において、CPU１１１は、呼接続要求を取得していないと判定した場合、ステップＳ４８３に進み、エラー処理を実行した後、ステップＳ４７１に戻り、それ以降の処理を繰り返す。
【０１８８】
また、ステップＳ４７８において、通話処理を開始しないと判定した場合、CPU１１１は、ステップＳ４８４に進み、基地局３１に、呼接続拒否応答を供給する。呼接続拒否応答を供給したCPU１１１は、ステップＳ４７１に戻り、それ以降の処理を繰り返す。
【０１８９】
図１７のステップS４７４において、ダウンロードを中止すると判定したCPU１１１は、図１８のステップＳ５０１において、ダウンロード一時停止要求を供給し、ステップＳ５０２において、電力を供給する通信部を切り替え、呼び出し応答を基地局２１に供給する。
【０１９０】
ステップＳ５０３において、CPU１１１は、基地局２１より、呼接続要求を取得したか否かを判定する。取得したと判定した場合、CPU１１１は、ステップＳ５０４に進み、着信通知処理を実行し、ユーザからの入力を受け付ける。
【０１９１】
そして、CPU１１１は、ユーザの入力に基づいて、ステップＳ５０５において、通話処理を開始するか否かを判定する。CPU１１１は、開始すると判定した場合、ステップＳ５０６において、呼接続応答を基地局２１に供給し、ステップＳ５０７において、通話処理を実行し、ステップＳ５０８において、通話処理が終了したか否かが判定される。終了していないと判定した場合、CPU１１１は、ステップＳ５０７に戻り、それ以降の処理を繰り返す。
【０１９２】
通信処理が終了したと判定した場合は、CPU１１１は、ステップＳ５０９に進み、回線切断処理を実行する。そして、CPU１１１は、ステップＳ５１０において、一時停止していたデータのダウンロードを再開するか否かを判定する。再開しないと判定した場合、CPU１１１は、呼び出し応答処理を終了する。
【０１９３】
また、ダウンロードを再開すると判定した場合、CPU１１１は、ステップＳ５１１に進み、電力を供給する通信部を切り替えて、基地局３１に、ダウンロード再開要求を供給し、ステップＳ４７１に戻り、それ以降の処理を繰り返す。
【０１９４】
なお、ステップＳ５０３において、呼接続要求を取得していないと判定した場合、CPU１１１は、ステップＳ５１２に進み、エラー処理を実行し、ステップＳ５１０に戻り、それ以降の処理を繰り返す。
【０１９５】
また、ステップＳ５０５において、通話処理を開始しないと判定した場合、CPU１１１は、ステップＳ５１３に進み、呼接続拒否応答を基地局２１に供給し、ステップＳ５１０に戻り、それ以降の処理を繰り返す。
【０１９６】
以上のようにして、携帯電話機１は、呼び出し応答処理を実行する。
【０１９７】
以上において、基地局３１と携帯電話機１は、データ通信を行い、基地局２１と携帯電話機１は、音声通信を行うように説明したが、これに限らず、例えば、携帯電話機１が基地局３１を介して音声通信を行っている際に、基地局２１よりデータ配信に関する呼び出し要求があった場合等についても、本発明を適用した無線通信システムは、上述した場合と同様の処理を行う。
【０１９８】
なお、以上において、システムとは、複数の装置により構成される装置全体を表すものである。
【０１９９】
上述した一連の処理は、ハードウエアにより実行させることもできるが、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０２００】
この記録媒体は、装置本体とは別に、ユーザにプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（ＭＤ（Mini-Disk）を含む）、もしくは半導体メモリなどよりなるパッケージメディアにより構成されるだけでなく、装置本体に予め組み込まれた状態でユーザに提供される、プログラムが記録されているROMなどで構成される。
【０２０１】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２０２】
【発明の効果】
以上のように、本発明の通信システム、並びに、情報処理装置および方法によれば、互いにサービスエリアが重複する複数の無線通信システムにおいて、コストをかけずに、効率的にユーザのニーズに合わせた通信を容易に行うことができる。
【図面の簡単な説明】
【図１】本発明を適用した無線通信システムの構成例を示す図である。
【図２】図１に示す無線通信システム２および無線通信システム３のサービスエリアを構成するセルの様子を示す図である。
【図３】図１に示す携帯電話機の構成例を示す図である。
【図４】図１に示す基地局２１の構成例を示すブロック図である。
【図５】図１に示す基地局３１の構成例を示すブロック図である。
【図６】本発明を適用した無線通信システムにおける回線接続処理の様子の例を示す図である。
【図７】無線通信システムの動作の流れの例を説明するフローチャートである。
【図８】本発明を適用した無線通信システムにおける回線接続処理の様子の他の例を示す図である。
【図９】無線通信システムの動作の流れの他の例を説明するフローチャートである。
【図１０】本発明を適用した無線通信システムにおける回線接続処理の様子のさらに他の例を示す図である。
【図１１】無線通信システムの動作の流れのさらに他の例を説明するフローチャートである。
【図１２】本発明を適用した無線通信システムにおける回線接続処理の様子のさらに他の例を示す図である。
【図１３】無線通信システムの動作の流れのさらに他の例を説明するフローチャートである。
【図１４】基地局３１による呼び出し中継処理について説明するフローチャートである。
【図１５】基地局３１による呼び出し中継処理について説明する、図１４に続くフローチャートである。
【図１６】基地局３１による呼び出し中継処理について説明する、図１５に続くフローチャートである。
【図１７】携帯電話機１による呼び出し応答処理について説明するフローチャートである。
【図１８】携帯電話機１による呼び出し応答処理について説明する、図１７に続くフローチャートである。
【符号の説明】
１  携帯電話機，  ２  無線通信システム，  ３  無線通信システム，  ２１基地局，  ２２  ネットワーク，  ２３  電話機，  ３１  基地局，  ３２  ネットワーク，  ３３  サーバ，  １２５  第１無線通信部，  １２５Ａ  アンテナ，  １２６  第２無線通信部，  １２６Ａ  アンテナ，  ２２５  無線通信部，  ２２５Ａ  アンテナ，  ３２５  第１無線通信部，  ３２５Ａ  アンテナ，  ３２６  第２無線通信部，  ３２６Ａ  アンテナ
【図１】
0003972291.tif 000002
【図２】
0003972291.tif 000003
【図３】
0003972291.tif 000004
【図４】
0003972291.tif 000005
【図５】
0003972291.tif 000006
【図６】
0003972291.tif 000007
【図７】
0003972291.tif 000008
【図８】
0003972291.tif 000009
【図９】
0003972291.tif 000010
【図１０】
0003972291.tif 000011
【図１１】
0003972291.tif 000012
【図１２】
0003972291.tif 000013
【図１３】
0003972291.tif 000014
【図１４】
0003972291.tif 000015
【図１５】
0003972291.tif 000016
【図１６】
0003972291.tif 000017
【図１７】
0003972291.tif 000018
【図１８】
0003972291.tif 000019